【事件の表示】
　特願２０００−　５６８７１「記録再生装置」拒絶査定不服審判事件〔平成１３年　９月　７日出願公開、特開２００１−２４５２０８〕について、次のとおり審決する。
【結　論】
　本件審判の請求は、成り立たない。
【理　由】
　
第１.手続
　
１.経緯
　本願は、平成１２年３月２日の出願であって、平成１７年８月１１日付けで拒絶査定された。
　本件は、本願についてされた上記拒絶査定を不服とする平成１７年９月７日の審判請求であり、その後、当審が平成１９年５月１８日付けで通知した拒絶理由に対して平成１９年７月１３日付けで手続補正書が提出された。
　
２.当審が通知した拒絶理由
　当審が平成１９年５月１８日付けで通知した拒絶理由は、概略、以下のとおりである。
　　　　　　　　　　　　　　　理　由
　この出願の請求項１ないし５に係る発明は、その出願前日本国内において頒布された下記の刊行物１ないし５に記載された発明に基づいて、その出願前にその発明の属する技術の分野における通常の知識を有するものが容易に発明をすることができたものであるから、特許法第２９条第２項の規定により特許を受けることができない。
　　　　　　　　　　　　　　　　記
　刊行物１：特開平３−１６４７４号公報
　刊行物２：特開平１１−４４０３号公報
　刊行物３：特開平５−１１０９４７号公報
　刊行物４：特開平９−２７０９４２号公報
　刊行物５：特開平１−１０６５８７号公報
　
　
　
　
第２.本願発明
　本願の請求項１に係る発明は、平成１９年７月１３日付け手続補正書により補正された特許請求の範囲の請求項１に記載された事項により特定される以下のとおりのもの(以下「本願発明」という)である。
　
「カメラ部と、該カメラ部で撮影された映像の映像信号を記録媒体に記録し、また該記録媒体に記録された映像信号の映像を再生する記録再生部と、該記録再生部で再生された映像及び前記カメラ部で撮影された映像を表示するモニタ部と、前記カメラ部で撮影された映像の映像信号を蓄えるメモリ部と、前記カメラ部で撮影された映像の映像信号を前記メモリ部に蓄え、画面合成等の映像処理を行う映像処理部と、前記記録再生部で記録再生する際の指示及び映像処理の指示を行う操作部とからなる記録再生装置において、
　前記映像処理部は、前記カメラ部で撮影された映像の全画面の上下又は左右のいずれかの端部分を横帯状又は縦帯状に最端部まで切り出し、選択領域と非選択領域の境界を前記操作部で操作して任意の位置に調整する手段と、選択された横帯状又は縦帯状の映像をキャプチャするキャプチャ手段と、該キャプチャ手段でキャプチャした映像をタイトル又はインデックスとして、前記カメラ部で撮影中の映像と合成する合成手段とを有することを特徴とする記録再生装置。」
　
　
　
　
第３.当審の判断
　
１.刊行物
　原査定の拒絶の理由に引用された上記刊行物１には、図面と共に以下の事項が記載されている。
　
(１)刊行物１の記載
　
ア.「この発明は、ビデオカメラに適用して好適な映像信号処理装置に関する。」(第１ページ左欄第１６、１７行)
　
イ.「１は撮像素子、例えばＣＣＤ固体撮像素子であり、この撮像素子１からの撮像信号はＡＧＣ回路２を介してプロセス回路３に供給され、このプロセス回路３より輝度信号Ｙおよび色差信号(赤色差信号Ｒ−Ｙ，青色差信号Ｂ−Ｙ)が出力される。
　プロセス回路３より出力される輝度信号Ｙはγ補正回路４およびアンプ５の直列回路を介してエンコーダ６に供給され、このエンコーダ６で同期信号が付加される。また、プロセス回路３より出力される色差信号Ｒ−Ｙ，Ｂ−Ｙはエンコーダ６で直角二相変調されたのち搬送色信号Ｃ(色副搬送波周波数は、例えば３.５８ＭＨｚ)として出力される。」(第２ページ左上欄第１２行〜同右上欄第５行)
　
ウ.「タイトルデータを得るときの被写体(タイトル画)」(第２ページ右上欄第１２、１３行)
　
エ.「エンコーダ６より出力される輝度信号Ｙはローバスフィルタ１３で帯域制限ざれたのち、Ａ／Ｄ変換器１４でディジタル信号に変換されてフィールドメモリ１５に書き込み信号として供給される。
　フィールドメモリ１５はメモリ制御回路１６を介してコントローラ９によって制御される。
　すなわち、タイトル挿入モードとされた状態で、静止画キー１２が押されると、そのタイミングの１画面分の輝度信号がフィールドメモリに書き込まれる。つまり、このフィールドメモリ１５には、静止画キー１２が押されるタイミングの１画面分の輝度信号よりなる静止画用輝度信号が書き込まれる。そして、このフィールドメモリ１５より静止画用輝度信号が各フィールドで繰り返し読み出される。」(第２ページ左下欄第１９行〜同右下欄第９行)
　
オ.「フィールドメモリ１５の出力信号はＤ／Ａ変換器１７でアナログ信号に変換されたのち切換スイッチ１８のａ側の固定端子に供給される。この切換スイッチ１８のｂ側の固定端子にはローパスフィルタ１３より出力される輝度信号Ｙが供給される。この切換スイッチ１８の切り換えはコントローラ９によって制御される。
　すなわち、タイトル挿入モードとされた状態で、静止画キー１２が押されると、メモリ回路８よりコントローラ９に供給されるタイトルデータが高レベル“１”である期間はａ側に接続されると共に、タイトルデータが低レベル“０”である期間はｂ側に接続され、カメラ部からの輝度信号にフィールドメモリ１５より読み出される静止画用輝度信号の挿入されたものが出力される。
　なお、その他の期間は、ｂ側に接続されたままとされ、カメラ部からの輝度信号が出力される。」(第２ページ右下欄第１０行〜第３ページ左上欄第６行)
　
カ.「また、エンコーダ６より出力される色信号Ｃはバンドパスフィルタ１９で帯域制限されたのちＡ／Ｄ変換器２０てディジタル信号に変換されて色復調回路２１に供給され、この色復調回路２１からは色差信号Ｒ−Ｙ，Ｂ−Ｙが点順次で出力される。
　この色復調回路２１からの色差信号Ｒ−Ｙ，Ｂ一Ｙは、フィールドメモリ２２に書き込み信号として供給される。このフィールドメモリ２２は、メモリ制御回路１６によって上述したフィールドメモリ１５と同様に制御される。
　このフィールドメモリ２２の出力信号は色変調回路２３に供給されて変調され、この色変調回路２３より出力される色信号ＣはＤ／Ａ変換器２４てアナログ信号に変換されたのち切換スイッチ２５のａ側の固定端子に供給される。この切換スイッチ２５のｂ側の固定端子にはバンドバスフィルタ１９より出力される色信号Ｃが供給される。この切換スイッチ２５の切り換えは、コントローラ９によって上述した切換スイッチ１８と同様に制御される。」(第３ページ左上欄第７行〜同右上欄第７行)
　
キ.「また、切換スイッチ１８より出力される輝度信号Ｙは、電子ビューファインダ(ＥＶＦ)２６に洪給されると共に加算器２７に供給される。また、切換スイッチ２５より出力される色信号Ｃは加算器２７に供給されて輝度信号Ｙと加算される。そして、この加算器２７より出力される映像信号はアンプ２８を介してライン出力端子２９に供給される。」(第３ページ右上欄第８〜１５行)
　
ク.「このように本例によれば、カメラ部からの映像信号による画面に静止画の画面を挿入することができ、この静止画の画面をタイトルとして使用することができる。しかも、挿入される静止画の画面形状はタイトル画のタイトル部分に対応した形状となり、タイトル画を変えることにより、静止画の画面形状を任意に変更することができる。」(第４ページ左上欄第８〜１４行)
　
ケ.「また、種々の形状に対応するタイトルデータを予め内部メモリに記憶しておくこともできる。この場合には、タイトルデータの選択手段を設けることになる。」(第４ページ右上欄第１〜４行)
　
　
(２)刊行物１に記載された発明
　刊行物１には、上記第３.１.(１)ア.〜ケ.の記載及び第１〜３図によれば、以下の発明が記載されているといえる。
　
「撮像素子１(上記第３.１.(１)イ.)と、
　撮像信号を輝度信号および色差信号に変換するプロセス回路３(上記第３.１.(１)イ.)と、
　輝度信号に同期信号を付加するとともに色差信号を搬送色信号に変換するエンコーダ６(上記第３.１.(１)イ.)と、
　静止画キー１２が押されると、そのタイミングのエンコーダ６から出力された１画面分の輝度信号、搬送色信号を書き込むフィールドメモリ１５、２２(上記第３.１.(１)エ.、カ.)と、
　フィールドメモリ１５、２２への輝度信号、搬送色信号の書き込みを指示する静止画キー１２(上記第３.１.(１)エ)と、
　種々の形状に対応するタイトルデータを記憶する内部メモリ(上記第３.１.(１)ケ.)と、
　タイトルデータを選択する選択手段(上記第３.１.(１)ケ.)と、
　静止画キー１２が押されると、選択手段で選択されたタイトルデータが高レベルである領域はフィールドメモリ１５、２２から読み出される輝度信号、搬送色信号を出力し、タイトルデータが低レベルである領域はエンコーダ６からの輝度信号、搬送色信号を出力する切換スイッチ１８、２５(上記第３.１.(１)オ.)と、
　加算器２７にて加算された切換スイッチ１８からの輝度信号及び切換スイッチ２５からの搬送色信号を出力するライン出力端子２９(上記第３.１.(１)キ.)と、
　切換スイッチ１８からの輝度信号が供給される電子ビューファインダ(ＥＶＦ)２６(上記第３.１.(１)キ.)と、
　フィールドメモリ１５、２２、切換スイッチ１８、２５を制御するコントローラ９(上記第３.１.(１)エ.、オ.)と、
　を有し、カメラ部からの映像信号にフィールドメモリ１５、２２に書き込まれた１画面分の静止画をタイトルとして挿入できるようにするとともに、静止画の画面形状を任意に変更できるようにした(上記第３.１.(１)ウ.、ク.)ビデオカメラ(上記第３.１.(１)ア.)。」
　
　
　
２.対比
　本願発明と刊行物１に記載された発明(以下「刊行物１発明」という)とを対比する。
　
(１)「カメラ部」及び「カメラ部で撮像された映像の映像信号」
　刊行物１発明の「撮像素子１」と「プロセス回路３」と「エンコーダ６」とを合わせたものは、本願発明でいう「カメラ部」に相当するものと捉えることができる。
　そして、刊行物１発明の「エンコーダ６から出力される搬送色信号」、「エンコーダ６から出力され同期信号が付加された輝度信号」及び「これら両信号を加算器２７にで加算された信号」は、いずれも「映像信号」といい得るものであることが明らかであるから、これら３つの信号は、いずれも「カメラ部で撮像された映像の映像信号」といえる。
　
　
(２)「記録再生部」
　刊行物１発明の「ライン出力端子２９」は、加算器２７にて加算された切換スイッチ１８、２５からの「映像信号」を出力するものであるところ、切換スイッチ１８、２５からは「カメラ部」からの「映像信号」も出力されるから、「該カメラ部で撮影された映像の映像信号」を出力するものとはいえるものの、刊行物１発明では、その「映像信号」を記録し、再生するとはしていない。この点、「該カメラ部で撮影された映像の映像信号を記録媒体に記録し、また該記録媒体に記録された映像信号の映像を再生する記録再生部」を有するとする本願発明とは相違する。
　
　
(３)「モニタ部」
　刊行物１発明の「電子ビューファインダ(ＥＶＦ)２６」は、切換スイッチ１８からの「映像信号」が供給されるものであるところ、切換スイッチ１８からは「カメラ部」からの「映像信号」も出力されるのは前記のとおりであるから、「カメラ部で撮影された映像を表示するモニタ部」といえる。
　本願発明の「モニタ部」は、「該記録再生部で再生された映像及び前記カメラ部で撮影された映像を表示する」ものであるが、「カメラ部で撮影された映像を表示するモニタ部」であるという点では、刊行物１発明のものと一致する。
　もっとも、「記録再生部で再生された映像」「を表示する」とはしていない。相違が認められる。
　
　
(４)「メモリ部」
　刊行物１発明の「フィールドメモリ１５、２２」は、静止画キー１２が押されるとそのタイミングの１画面分の「映像信号」が書き込まれるものであるから、本願発明でいう「前記カメラ部で撮影された映像の映像信号を蓄えるメモリ部」に相当する。
　
　
(５)「映像処理部」
　刊行物１発明では、「コントローラ９」が「メモリ部」を制御し、「メモリ部」は、静止画キー１２が押されると、そのタイミングの１画面分の「カメラ部」からの「映像信号」を書き込む。以上の処理は、「前記カメラ部で撮影された映像の映像信号を前記メモリ部に蓄え」る「映像信号処理」といえる。
　また、刊行物１発明では、「コントローラ９」が「切換スイッチ１８、２５」を制御し、「切換スイッチ１８、２５」は、「内部メモリ」が記憶する種々の形状に対応するタイトルデータのうちの「選択手段」で選択されたタイトルデータが高レベルである領域は「メモリ部」からの「映像信号」を出力し、低レベルである区間は「カメラ部」からの「映像信号」を出力し、係る処理により「カメラ部」からの「映像信号」に「メモリ部」からの「映像信号」をタイトルとして挿入する。以上の処理は、「画面合成等の映像処理」といえる。
　したがって、刊行物１発明は、「コントローラ９」と「切換スイッチ１８、２５」と「内部メモリ」とを含み、「前記カメラ部で撮影された映像の映像信号を前記メモリ部に蓄え、画面合成等の映像処理を行う映像処理部」に相当する構成を有しているものといえる。
　
　
(６)「操作部」
　刊行物１発明の「静止画キー１２」は、「メモリ部」への「映像信号」の書き込みを指示する操作部であり、「選択手段」は、タイトルデータを選択する操作部であり、これらは共に「映像処理の指示」であるから、「静止画キー１２」と「選択手段」とを合わせたものは、「映像処理の指示を行う操作部」といえる。
　本願発明の「操作部」は、「前記記録再生部で記録再生する際の指示及び映像処理の指示を行う」ものであるが、「映像処理の指示を行う操作部」であるという点では、刊行物１発明のものと一致する。
　もっとも、「前記記録再生部で記録再生する際の指示」を行うとはしていない。相違が認められる。
　
　
(７)「記録再生装置」
　刊行物１発明は全体を「ビデオカメラ」とする発明であり、全体を「記録再生装置」とする本願発明とは相違する。
　
　
(８)「撮影映像の切り出し」
　刊行物１発明の「切換スイッチ１８、２５」は、タイトルデータが高レベルである領域は「メモリ部」からの「映像信号」を出力するものであるところ、刊行物１発明の「メモリ部」に書き込まれているのは、静止画キー１２が押されたタイミングの「カメラ部」から出力された「映像信号」であること及びタイトルデータが高レベルでない領域は「メモリ部」からの「映像信号」を出力しないことからすれば、「切換スイッチ１８、２５」の上記処理動作は、「カメラ部」から出力された「映像信号」の全画面のうち、タイトルデータが高レベルである領域を切り出すものといえる。
　よって、「切換スイッチ１８、２５」の上記処理動作は、「前記カメラ部で撮影された映像の全画面の所定部分を切り出」す処理動作といえる。
　本願発明では、「前記カメラ部で撮影された映像の全画面の上下又は左右のいずれかの端部分を横帯状又は縦帯状に最端部まで切り出し」としているが、「前記カメラ部で撮影された映像の全画面の所定部分を切り出」すという点では、刊行物１発明のものと一致する。
　もっとも、刊行物１発明は、切り出す「所定部分」について、「全画面の上下又は左右のいずれかの端部分」であるとも、「横帯状又は縦帯状に最端部まで」とするものでもない。相違が認められる。
　
　
(９)「選択領域と非選択領域の境界を前記操作部で操作して任意の位置に調整する手段」
　刊行物１発明では、「コントローラ９」が「切換スイッチ１８、２５」を制御し、「切換スイッチ１８、２５」は、「内部メモリ」が記憶する種々の形状に対応するタイトルデータのうちの「選択手段」で選択されたタイトルデータが高レベルである領域は「メモリ部」からの「映像信号」を出力し、低レベルである区間は「カメラ部」からの「映像信号」を出力し、係る処理により「カメラ部」からの「映像信号」に「メモリ部」からの「映像信号」をタイトルとして挿入する。
　ここで、「メモリ部」に蓄えられている「映像信号」のうち、「切換スイッチ１８、２５」から出力されてカメラ部からの映像信号に挿入される領域は、タイトルとして選択された「選択領域」といえるものであり、この「選択領域」は、「選択手段」の操作によるタイトルデータの変更に伴って変化する。
　よって、刊行物１発明の「選択手段」は「選択領域」を調整するための「操作部」といえるとともに、刊行物１発明の「コントローラ９」は、「選択領域を前記操作部で操作して調整する手段」といえる。
　本願発明の「調整する手段」は、「選択領域と非選択領域の境界を前記操作部で操作して任意の位置に調整する」としているが、「選択領域を前記操作部で操作して調整する手段」であるという点では、刊行物１発明のものと一致する。
　もっとも、刊行物１発明では、調整の対象が「選択領域の形状」であり、「前記操作部で操作」がタイトルデータの選択操作であり、種々の形状に対応するタイトルデータの中から選択したいずれかのタイトルデータの形状に「選択領域の形状」を調整するものである。この点、調整の対象を「選択領域と非選択領域の境界」とし、これを「前記操作部で操作して」「任意の位置」に調整するとした本願発明とは相違する。
　
　
(１０)「キャプチャ手段」及び「合成手段」
　本願発明において「キャプチャする」は、本願明細書の「キャプチャする(切り出す)・・・キャプチャし(切り出し)」(段落【０００３】)、「映像信号の上部から１００ライン目からキャプチャする指示を出した場合、・・・カメラ部５からの映像信号Ｓ１の上部から１００ライン目までに相当する映像信号の切り出し処理を行う。」(段落【００２５】)、「また同時に、ビデオメモリ７からの映像データ(静止画)Ｓ３の、映像信号の上部から１００ライン目以降映像信号の最下部まで切り出し処理を行う。」(段落【００２６】)等の記載からすれば、「切り出す」と同意であると解される。
　
　刊行物１発明の「切換スイッチ１８、２５」は、タイトルデータが高レベルである領域は「メモリ部」からの「映像信号」を出力するものであり、この上記処理動作は、上記第３.２.(８)で認定したとおり、「カメラ部」から出力された「映像信号」の全画面のうち、タイトルデータが高レベルである領域を切り出すものといえるところ、切り出されてカメラ部からの映像信号に挿入される領域は、タイトルとして「選択された」「所定形状の映像」といえるから、「切換スイッチ１８、２５」の上記処理動作は、「選択された所定形状の映像をキャプチャする」ものといえる。
　本願発明の「キャプチャ手段」は、「選択された横帯状又は縦帯状の映像をキャプチャする」ものであるが、その処理動作は、「選択された所定形状の映像をキャプチャする」ものという点において、刊行物１発明の上記処理動作と一致する。
　
　刊行物１発明では、「切換スイッチ１８、２５」から、タイトルデータが高レベルである領域は「メモリ部」からの「映像信号」が出力され、タイトルデータが低レベルである領域は「カメラ部」からの「映像信号」が出力される結果、「カメラ部」からの「映像信号」に「メモリ部」からの「映像信号」がタイトルとして挿入された映像が得られる。
　刊行物１発明の「切換スイッチ１８、２５」の上記処理動作は、「該キャプチャ手段でキャプチャした映像をタイトル又はインデックスとして、前記カメラ部で撮影中の映像と合成する」ものといえる。本願発明でいう「合成手段」の処理動作と一致する。
　
　もっとも、刊行物１発明は、キャプチャする映像の「所定形状」について、「横帯状又は縦帯状」とするものではない。相違が認められる。
　また、刊行物１発明では、「選択された所定形状の映像をキャプチャする」とする処理動作と「該キャプチャ手段でキャプチャした映像をタイトル又はインデックスとして、前記カメラ部で撮影中の映像と合成する」とする処理動作の両方が共通の「切換スイッチ１８、２５」で行われる。この点、前者の処理動作を「キャプチャ手段」、後者の処理動作を「合成手段」で行うとする本願発明とは相違する。
　
　
　
　
(１１)一致点、相違点
　以上から、本願発明と刊行物１発明とは、
　
［一致点］
「カメラ部と、前記カメラ部で撮影された映像を表示するモニタ部と、前記カメラ部で撮影された映像の映像信号を蓄えるメモリ部と、前記カメラ部で撮影された映像の映像信号を前記メモリ部に蓄え、画面合成等の映像処理を行う映像処理部と、映像処理の指示を行う操作部とからなる映像信号処理装置において、
　前記映像処理部は、前記カメラ部で撮影された映像の全画面の所定部分を切り出し、選択領域を前記操作部で操作して調整する手段を有し、選択された所定形状の映像をキャプチャし、キャプチャした映像をタイトル又はインデックスとして、前記カメラ部で撮影中の映像と合成するする装置。」
　である点で一致し、次の各点で相違する。
　
［相違点１］
　本願発明では、「該カメラ部で撮影された映像の映像信号を記録媒体に記録し、また該記録媒体に記録された映像信号の映像を再生する記録再生部」を備え、「モニタ部」が「該記録再生部で再生された映像」を表示し、「操作部」が「前記記録再生部で記録再生する際の指示」を行い、係る構成をもって全体を「記録再生装置」とするのに対し、
　刊行物１発明では、映像信号を記録し、再生するとはしておらず、「モニタ部」が「記録再生部で再生された映像」を表示するとも、「操作部」が「前記記録再生部で記録再生する際の指示」を行うともしておらず、全体を「ビデオカメラ」としている点。
　
［相違点２］
　「映像処理部」において、
　本願発明は、「前記カメラ部で撮影された映像の全画面」から切り出す「所定部分」を、「全画面の上下又は左右のいずれかの端部分」であって「横帯状又は縦帯状に最端部まで」とするとともに、キャプチャする映像の「所定形状」を、「横帯状又は縦帯状」としているのに対し、
　刊行物１発明は、そのようにしていない点。
　
［相違点３］
　「選択領域を前記操作部で操作して調整する手段」において、
　本願発明では、調整の対象を「選択領域と非選択領域の境界」とし、これを「前記操作部で操作して」「任意の位置」に調整するとしているのに対し、
　刊行物１発明では、調整の対象が「選択領域の形状」であり、「前記操作部で操作」がタイトルデータの選択操作であり、種々の形状に対応するタイトルデータの中から選択したいずれかのタイトルデータの形状に「選択領域の形状」を調整するものである点。
　
［相違点４］
　「映像処理部」における「選択された形状の映像をキャプチャする」とする処理動作と「該キャプチャ手段でキャプチャした映像をタイトル又はインデックスとして、前記カメラ部で撮影中の映像と合成する」とする処理動作について、
　本願発明では、前者を「キャプチャ手段」、後者を「合成手段」で行うとするのに対し、
　刊行物１発明では、両者が共通の「切換スイッチ１８、２５」で行われる点。
　
　
　
３.判断
　上記各相違点について検討する。
　
［相違点１］について
　一般に、ビデオカメラにおいて、カメラ部で撮影された映像信号を記録媒体に記録し、また該記録媒体に記録された映像信号の映像を再生する記録再生部と、前記記録再生部で記録再生する際の指示を行う操作部とを設けることは常套であり、しかも、予め撮像し記憶しておいたタイトル画を、撮影中のカメラ映像信号に合成するよう構成されたものにおいて、タイトル画が合成されたカメラ映像信号を、記録し、再生し、表示する手段を設けることもごく普通のこと(例えば下記６.周知例１参照)にすぎないから、刊行物１発明においても、「該カメラ部で撮影された映像の映像信号を記録媒体に記録し、また該記録媒体に記録された映像信号の映像を再生する記録再生部」を設けるとともに、「モニタ部」が「記録再生部で再生された映像」を表示するとし、「操作部」が「前記記録再生部で記録再生する際の指示」を行うとすることは、ごく普通のことである。
　そして、全体を「記録再生装置」とすることも、格別のこととはいえない。
　
［相違点２］について
　一般に、タイトル画の挿入個所を全画面の上下又は左右のいずれかの端部分とすることは通常のこと(例えば下記６.周知例２参照)であり、しかも、２つの画像を合成するにあたり、画面を上下又は左右方向に２分割し、第１の画像から一方の分割領域に対応する範囲を切り出し、第２の画像から他方の分割領域に対応する範囲を切り出し、それらを合成する手法を採ることは周知であるから(例えば下記６.周知例３参照)、刊行物１記載の発明においても、全画面の上下又は左右のいずれかの端部分を上下又は左右方向に２分割することで、「前記カメラ部で撮影された映像の全画面」から切り出す「所定部分」を、「全画面の上下又は左右のいずれかの端部分」であって「横帯状又は縦帯状に最端部まで」とするとともに、キャプチャする映像の「所定形状」を、「横帯状又は縦帯状」とすることは何ら格別のことでなく、当業者にとって容易に想到し得たことである。
　
［相違点３］について
　一般に、２つの画像を所定の境界で合成するにあたり、その境界を操作部で操作して任意の位置に調整できるよう構成することは周知である(例えば下記６.周知例４参照)。
　刊行物１発明において上記相違点２に係る本願発明の構成を採用することは、上記のとおり当業者にとって容易に想到し得たことであるところ、そのようにする際、種々の形状に対応するタイトルデータの中から選択したタイトルデータの形状に「選択領域の形状」を調整する構成の代わりに、上記周知の技術を採用し、「選択領域と非選択領域の境界を操作部で操作して任意の位置に」調整する構成とすることは、当業者にとって何ら格別のことでなく、必要に応じて適宜採用し得ることにすぎない。
　
［相違点４］について
　一般に、２枚の画像のうち、一方の画像における所定の領域を他方の画像中に挿入する手段を構成するにあたり、一方の画像から所定の領域を切り出す切出手段と、該切出手段で切り出した画像を他の画像と合成する合成手段とで構成することは周知であるから(例えば下記６.周知例３参照)、刊行物１発明においても、「映像処理部」における「選択された形状の映像をキャプチャする」とする処理動作を行う手段と、「映像処理部」における「該キャプチャ手段でキャプチャした映像をタイトル又はインデックスとして、前記カメラ部で撮影中の映像と合成する」とする処理動作を行う手段とをそれぞれ構成し、前者を「キャプチャ手段」、後者を「合成手段」とすることは当業者が容易に想到し得たことである。
　
　
　
４.効果等
　以上のとおり、上記相違点１ないし４に係る本願発明の構成は、いずれも当業者が容易に想到し得たものであるところ、上記各相違点を総合しても格別の作用効果を奏するものとはいえず、本願発明を全体としてみても、その作用効果は、刊行物１及び周知技術から当業者が予測できる範囲のものである。
　
　
　
５.まとめ(当審の判断)
　したがって、本願発明は、上記刊行物１に記載された発明及び周知技術に基づいて当業者が容易に発明をすることができたものである。
　
　
　
６.周知例
　
周知例１：特開平５−１１０９４７号公報
(当審で通知した拒絶理由に上記刊行物３として提示済み)
　周知例１には、予め撮像し記憶しておいたタイトル画を、撮影中のカメラ映像信号に合成するものにおいて、タイトル画が合成されたカメラ映像信号を記録し、再生し、表示する手段を設けることが記載されている(段落【０００９】、【００２１】〜【００２７】、第４、５図等参照)。
　
周知例２：特開平１１−４４０３号公報
(当審で通知した拒絶理由に上記刊行物２として提示済み)
　周知例２には、タイトル文字が描かれた被写体を撮影して得たタイトル画像と撮影画像とを合成するにあたり、タイトル文字の挿入個所を画面の下端とすることが記載されている(段落【００２１】、第６図等参照)。
　
周知例３：特開昭５９−１７７７１号公報
　周知例３には、２つの画像を合成するにあたり、画面を上下又は左右方向に２分割し、利得制御回路４１により第１の画像情報から一方の分割領域に対応する範囲を切り出し、利得制御回路４２により第２の画像から他方の分割領域に対応する範囲を切り出し、それらを混合器４３で合成することが記載されている(第４ページ左上欄第１４〜１７行、同右上欄第５行〜同左下欄第１３行、第６ページ左下欄第１〜１１行、第７ページ左上欄第７〜１０行、第４図、第５図(Ｇ)、(Ｈ)等参照)。
　
周知例４：特開平４−２４９９８８号公報
　周知例４には、２画像を所定の境界で合成するにあたり、その境界を操作部で操作して任意の位置に調整することが記載されている(段落【００１５】、第１、４、５図等参照)。
　
　
　
　
第４.むすび
　以上のとおり、本願の請求項１に係る発明は、刊行物１に記載された発明及び周知技術に基づいて当業者が容易に発明をすることができたものであるから、他の請求項に係る発明について検討するまでもなく、本願は、特許法第２９条第２項の規定により特許を受けることができない。
　したがって、本願は拒絶をすべきものである。
　よって、結論のとおり審決する。